(57)【特許請求の範囲】
【請求項１】
角度測定装置本体部と該角度測定装置本体部に着脱可能な遠隔操作装置とを具備し、前記角度測定装置本体部が測定点を視準する視準望遠鏡と、該視準望遠鏡を所望の方向に回転させる回転駆動部と、第１通信部と、前記視準望遠鏡を所定の方向に向ける様前記回転駆動部を制御する本体制御装置とを具備し、前記遠隔操作装置が第２撮像部と、鉛直センサと第２方向角センサと、第２通信部とを具備し、前記遠隔操作装置が取外された状態で、前記鉛直センサと前記第２方向角センサの検出結果が前記第２通信部から送信されると共に前記第１通信部で受信され、前記本体制御装置は、前記検出結果に基づき得られる前記第２撮像部の視準方向と、前記視準望遠鏡の視準方向とが合致する様前記回転駆動部を制御することを特徴とする角度測定装置。
【請求項２】
前記角度測定装置本体部が第１方向角センサと、鉛直角検出器とを具備し、前記第１方向角センサと、前記鉛直角検出器の検出結果で得られる前記視準望遠鏡の視準方向と前記鉛直センサと前記第２方向角センサの検出結果で得られる前記第２撮像部の視準方向との偏差を解消する様回転駆動部を制御する請求項１の角度測定装置。
【請求項３】
前記角度測定装置本体部が前記視準望遠鏡を介して視準方向の画像を取得する第１撮像部を具備し、該第１撮像部で取得した画像と前記第２撮像部で取得した画像との画像マッチングにより前記視準望遠鏡の視準方向と前記第２撮像部の視準方向を合致させる請求項１又は請求項２の角度測定装置。
【請求項４】
前記角度測定装置本体部が前記視準望遠鏡を介して視準方向の画像を取得する第１撮像部を具備し、前記遠隔操作装置が表示部を具備し、該表示部には前記第１通信部、前記第２通信部を介して受信した前記第１撮像部取得の第１画像及び／又は前記第２撮像部取得の第２画像が表示される請求項１又は請求項２の角度測定装置。
【請求項５】
前記角度測定装置本体部が着脱可能な光波距離計を有し、前記遠隔操作装置は携帯端末である請求項３又は請求項４の角度測定装置。
【発明の詳細な説明】
【技術分野】
【０００１】
本発明は、簡易型の角度測定装置、特に遠隔操作が可能な角度測定装置に関するものである。
【背景技術】
【０００２】
測距機能を具備した角度測定装置は、一般に、高精度であるが大型で高価なものとなっている。又、室内装飾、施工を実施する場合に、種々の窓の設置、空調機の設置等各種内装工事を実施する場合の測定、罫書きを行う場合の測定を行うが、従来内装工事の測定ではレーザ光線を回転照射して水平基準面を設定する測量機が用いられている。該測量機によって形成される水平基準面、水平基準線に基づき寸法取り、罫書き等を実施していた。
【０００３】
従来の作業では、基準面、基準線からの寸法取りは作業者による人手作業であり、時間を要すると共に作業性が悪く、測定には人為的な誤差が含まれ、測定精度はいいとは言えなかった。
【先行技術文献】
【特許文献】
【０００４】
【特許文献１】特開２００３−２７９３５１号公報
【発明の概要】
【発明が解決しようとする課題】
【０００５】
本発明は斯かる実情に鑑み、作業性に優れた簡便な角度測定装置を提供するものである。
【課題を解決するための手段】
【０００６】
本発明は、角度測定装置本体部と該角度測定装置本体部に着脱可能な遠隔操作装置とを具備し、前記角度測定装置本体部が測定点を視準する視準望遠鏡と、該視準望遠鏡を所望の方向に回転させる回転駆動部と、第１通信部と、前記視準望遠鏡を所定の方向に向ける様前記回転駆動部を制御する本体制御装置とを具備し、前記遠隔操作装置が第２撮像部と、鉛直センサと第２方向角センサと、第２通信部とを具備し、前記遠隔操作装置が取外された状態で、前記鉛直センサと前記第２方向角センサの検出結果が前記第２通信部から送信されると共に前記第１通信部で受信され、前記本体制御装置は、前記検出結果に基づき得られる前記第２撮像部の視準方向と、前記視準望遠鏡の視準方向とが合致する様前記回転駆動部を制御する角度測定装置に係るものである。
【０００７】
又本発明は、前記角度測定装置本体部が第１方向角センサと、鉛直角検出器とを具備し、前記第１方向角センサと、前記鉛直角検出器の検出結果で得られる前記視準望遠鏡の視準方向と前記鉛直センサと前記第２方向角センサの検出結果で得られる前記第２撮像部の視準方向との偏差を解消する様回転駆動部を制御する角度測定装置に係るものである。
【０００８】
又本発明は、前記角度測定装置本体部が前記視準望遠鏡を介して視準方向の画像を取得する第１撮像部を具備し、該第１撮像部で取得した画像と前記第２撮像部で取得した画像との画像マッチングにより前記視準望遠鏡の視準方向と前記第２撮像部の視準方向を合致させる角度測定装置に係るものである。
【０００９】
又本発明は、前記角度測定装置本体部が前記視準望遠鏡を介して視準方向の画像を取得する第１撮像部を具備し、前記遠隔操作装置が表示部を具備し、該表示部には前記第１通信部、前記第２通信部を介して受信した前記第１撮像部取得の第１画像及び／又は前記第２撮像部取得の第２画像が表示される角度測定装置に係るものである。
【００１０】
又本発明は、前記角度測定装置本体部が着脱可能な光波距離計を有し、前記遠隔操作装置は携帯端末である角度測定装置に係るものである。
【発明の効果】
【００１１】
本発明によれば、角度測定装置本体部と該角度測定装置本体部に着脱可能な遠隔操作装置とを具備し、前記角度測定装置本体部が測定点を視準する視準望遠鏡と、該視準望遠鏡を所望の方向に回転させる回転駆動部と、第１通信部と、前記視準望遠鏡を所定の方向に向ける様前記回転駆動部を制御する本体制御装置とを具備し、前記遠隔操作装置が第２撮像部と、鉛直センサと第２方向角センサと、第２通信部とを具備し、前記遠隔操作装置が取外された状態で、前記鉛直センサと前記第２方向角センサの検出結果が前記第２通信部から送信されると共に前記第１通信部で受信され、前記本体制御装置は、前記検出結果に基づき得られる前記第２撮像部の視準方向と、前記視準望遠鏡の視準方向とが合致する様前記回転駆動部を制御するので、前記遠隔操作装置の姿勢、向きを調整することで簡単に測定点の視準を行うことができる。
【００１２】
又本発明によれば、前記角度測定装置本体部が第１方向角センサと、鉛直角検出器とを具備し、前記第１方向角センサと、前記鉛直角検出器の検出結果で得られる前記視準望遠鏡の視準方向と前記鉛直センサと前記第２方向角センサの検出結果で得られる前記第２撮像部の視準方向との偏差を解消する様回転駆動部を制御するので、前記遠隔操作装置から要求する視準方向がリアルタイムで得られる。
【００１３】
又本発明によれば、前記角度測定装置本体部が前記視準望遠鏡を介して視準方向の画像を取得する第１撮像部を具備し、該第１撮像部で取得した画像と前記第２撮像部で取得した画像との画像マッチングにより前記視準望遠鏡の視準方向と前記第２撮像部の視準方向を合致させるので、前記遠隔操作装置から要求する視準方向が高精度で得られる。
【００１４】
又本発明によれば、前記角度測定装置本体部が前記視準望遠鏡を介して視準方向の画像を取得する第１撮像部を具備し、前記遠隔操作装置が表示部を具備し、該表示部には前記第１通信部、前記第２通信部を介して受信した前記第１撮像部取得の第１画像及び／又は前記第２撮像部取得の第２画像が表示されるので、前記遠隔操作装置で視準する方向と前記視準望遠鏡が視準する方向との対比が可能であり、視準作業が容易であり、又第１画像と第２画像との切替えで画像の倍率が変えられるので、視準作業が手際よく行える。
【００１５】
又本発明によれば、前記角度測定装置本体部が着脱可能な光波距離計を有し、前記遠隔操作装置は携帯端末であるので、市販の装置を用いることが可能で簡単に安価に製作することが可能である等の優れた効果を発揮する。
【図面の簡単な説明】
【００１６】
【図１】本発明の実施例に係る角度測定装置の概略正面図である。
【図２】同前角度測定装置の概略側面図である。
【図３】該角度測定装置に用いられる遠隔操作装置の概略図である。
【図４】前記角度測定装置の本体制御装置のブロック図である。
【図５】前記遠隔操作装置のブロック図である。
【発明を実施するための形態】
【００１７】
以下、図面を参照しつつ本発明の実施例を説明する。
【００１８】
先ず、図１、図２により、本実施例の概略を説明する。尚、図１、図２中、１は角度測定装置を示している。
【００１９】
３脚２の上端に整準部３が設けられ、該整準部３に水平回転軸４を介して回転基台５が回転可能に設けられている。前記整準部３は、前記水平回転軸４の軸心を鉛直に整準する整準機構（図示せず）及び傾斜センサ２４（後述）を有している。前記整準部３内部には、水平回転駆動部６が内蔵され、該水平回転駆動部６により前記水平回転軸４を中心に前記回転基台５が回転される様になっている。
【００２０】
前記回転基台５には架台７が垂直に設けられ、該架台７には水平な軸心を有する鉛直回転軸８を介して望遠鏡部９が回転可能に取付けられている。又前記回転基台５には第１方向角センサ２５（後述）が設けられている。
【００２１】
前記望遠鏡部９は視準望遠鏡１０を備え、該視準望遠鏡１０は５゜程度の視野角を有し、測定点を視準するものである。該視準望遠鏡１０の視準点は該視準望遠鏡１０が備えたレチクル（図示せず）によって示される様になっている。前記望遠鏡部９には第１撮像部１１が内蔵され、前記視準望遠鏡１０を透して視準方向の画像を撮像可能であり、又前記第１撮像部１１は撮像素子として、ＣＣＤ、ＣＭＯＳ等のセンサを有し、デジタル画像データを出力する様になっている。
【００２２】
前記架台７には鉛直回転駆動部１２が内蔵されており、該鉛直回転駆動部１２により前記鉛直回転軸８を中心として前記望遠鏡部９が鉛直方向に回転される様になっている。
【００２３】
前記水平回転駆動部６、前記鉛直回転駆動部１２は回転駆動部を構成し、該回転駆動部は前記水平回転駆動部６、前記鉛直回転駆動部１２の協働により、前記望遠鏡部９を所望の方向に向けることができる。
【００２４】
前記望遠鏡部９の上面には、光波距離計（ＥＤＭ）１３が設けられ、前記望遠鏡部９と前記光波距離計１３とは一体化されている。前記光波距離計１３の光軸と前記望遠鏡部９の光軸とは平行となっており、両者の光軸間の距離は既知となっている。尚、前記光波距離計１３はアタッチメント（図示せず）を介して前記望遠鏡部９に設けられてもよく、前記アタッチメントにより前記光波距離計１３の光軸の方向を調整可能としてもよい。
【００２５】
前記水平回転軸４には水平角検出器１４が設けられ、該水平角検出器１４は前記水平回転軸４の回転角、即ち前記回転基台５の水平回転角を検出し、前記鉛直回転軸８には鉛直角検出器１５が設けられ、該鉛直角検出器１５は前記鉛直回転軸８の回転角、即ち前記望遠鏡部９の鉛直回転角を検出する様になっている。
【００２６】
又、前記回転基台５の内部には本体制御装置１６が設けられる。尚、該本体制御装置１６は、スペース的に余裕があれば、前記望遠鏡部９等他の部位に設けられてもよい。前記本体制御装置１６は、前記水平回転駆動部６及び前記鉛直回転駆動部１２の制御、前記光波距離計１３による測距の制御、前記水平角検出器１４、前記鉛直角検出器１５の検出結果に基づく水平角、鉛直角の測定、或は後述する遠隔操作装置１７とのデータ通信を行う様になっている。尚、該遠隔操作装置１７を除く、前記整準部３、前記回転基台５、前記架台７、前記望遠鏡部９等は角度測定装置本体部を構成する。
【００２７】
前記整準部３にはアタッチメント１８を介して前記遠隔操作装置１７が着脱可能となっている（図２参照）。
【００２８】
図３に示される様に、該遠隔操作装置１７は、片手で持ち他方の手で操作可能な携帯型（ハンドヘルドタイプ）となっており、表示部２８、第２撮像部３６、操作部（前記表示部２８がタッチパネルとなっており、操作部を兼ねる）を有すると共に前記本体制御装置１６との間でデータ通信を行う通信部（後述）等を具備している。又、前記遠隔操作装置１７の姿勢、方向を検出する鉛直センサ３３、第２方向角センサ３４を備えている。
【００２９】
又、図２に示される様に、前記望遠鏡部９に偏向光学部１９を設け、前記光波距離計１３の光の一部を前記望遠鏡部９に戻し、該望遠鏡部９の視準点と前記光波距離計１３の測定点が一致する様に、前記偏向光学部１９により前記望遠鏡部９の光軸を偏向してもよい。
【００３０】
前記遠隔操作装置１７からの操作で、前記望遠鏡部９の視準方向の決定、測定点の決定、測定、撮像の実行等の所要の作動をさせることができ、前記遠隔操作装置１７を前記角度測定装置１に設置した状態では、前記遠隔操作装置１７を介して前記角度測定装置１を直接操作する状態となり、前記遠隔操作装置１７を取外した状態では、該遠隔操作装置１７を介して前記角度測定装置１を遠隔操作する状態となる。
【００３１】
又、前記遠隔操作装置１７と前記アタッチメント１８にそれぞれ嵌脱可能なコネクタ（図示せず）を装備させ、前記遠隔操作装置１７を前記アタッチメント１８に設置した状態では、前記遠隔操作装置１７がコネクタの連結を介して直接、前記本体制御装置１６と電気的に接続される様にしてもよい。
【００３２】
図４、図５により、前記本体制御装置１６、前記遠隔操作装置１７について更に説明する。
【００３３】
先ず、図４により前記本体制御装置１６について説明する。
【００３４】
該本体制御装置１６は主に、第１演算制御部２１、第１記憶部２２、前記水平角検出器１４、前記鉛直角検出器１５、前記傾斜センサ２４、前記第１方向角センサ２５、操作部２６、第１通信部２７、前記光波距離計１３、前記第１撮像部１１、前記水平回転駆動部６、前記鉛直回転駆動部１２、表示部２８、第１電源部２９等から構成されている。
【００３５】
前記水平角検出器１４、前記鉛直角検出器１５、前記傾斜センサ２４、前記第１方向角センサ２５からの検出信号は、前記第１演算制御部２１に入力される。前記第１通信部２７は前記第１演算制御部２１によって通信が制御されると共に制御指令は前記第１通信部２７より発信され、該第１通信部２７が受信したデータは前記第１演算制御部２１に入力される。
【００３６】
該第１演算制御部２１は前記光波距離計１３及び前記第１撮像部１１を制御し、前記光波距離計１３で測定した測距結果、前記第１撮像部１１で取得した画像データは前記第１演算制御部２１に入力される。
【００３７】
又、該第１演算制御部２１は前記水平回転駆動部６、前記鉛直回転駆動部１２を制御し、前記望遠鏡部９、前記光波距離計１３を所要の方向に回転させる。
【００３８】
前記水平角検出器１４、前記鉛直角検出器１５からの検出結果は前記第１演算制御部２１に入力され、前記水平角検出器１４、前記鉛直角検出器１５の検出結果に基づき、前記偏向光学部１９及び光波距離計１３の水平方向の回転角、及び鉛直方向の回転角が測定される。
【００３９】
前記傾斜センサ２４の検出結果は、前記第１演算制御部２１に入力され、前記整準部３の整準動作が制御されると共に前記傾斜センサ２４と前記鉛直角検出器１５の検出結果に基づき前記望遠鏡部９の鉛直角が測定される。前記第１方向角センサ２５の検出結果は、前記第１演算制御部２１に入力され、該第１演算制御部２１は前記第１方向角センサ２５の検出結果に基づき視準方向の方向角を測定する。
【００４０】
前記操作部２６、前記表示部２８は後述する前記遠隔操作装置１７に装備されている操作部及び表示部が兼用される。
【００４１】
前記第１記憶部２２は、前記第１撮像部１１、前記光波距離計１３、前記第１通信部２７、前記水平回転駆動部６、前記鉛直回転駆動部１２を制御する為に必要な制御プログラム、前記第１撮像部１１で取得した画像データを処理する為の画像処理プログラム、前記水平角検出器１４、前記鉛直角検出器１５、前記傾斜センサ２４、前記第１方向角センサ２５からの検出結果に基づき方向角、傾斜角、水平回転角、鉛直回転角等を測定する角度測定プログラム、前記第１通信部２７による通信を制御する通信制御プログラム等のプログラムが格納され、又、前記光波距離計１３による測距結果及び角度測定結果等の測定データ、及び前記第１撮像部１１で取得した画像データ等が格納される。
【００４２】
前記第１電源部２９は、リチュウムイオン電池等の充電可能な電池であり、前記第１演算制御部２１、前記第１通信部２７、前記第１撮像部１１、前記水平回転駆動部６、前記鉛直回転駆動部１２等に必要な電力を供給する。
【００４３】
図５により、前記遠隔操作装置１７について説明する。
【００４４】
該遠隔操作装置１７は主に、前記操作部２６、前記表示部２８、第２演算制御部３１、第２記憶部３２、鉛直センサ３３、第２方向角センサ３４、第２通信部３５、第２撮像部３６、第２電源部３７等から構成されている。
【００４５】
前記鉛直センサ３３、前記第２方向角センサ３４からの検出信号は、前記第２演算制御部３１に入力され、該第２演算制御部３１は前記鉛直センサ３３、前記第２方向角センサ３４からの信号に基づき前記第２撮像部３６の撮像方向（前記遠隔操作装置１７の姿勢）を演算する様になっている。
【００４６】
前記第２撮像部３６は、６０゜程度の視野角を有し、又撮像素子としてＣＣＤ、ＣＭＯＳ等のセンサを有し、デジタル画像を取得し、取得した画像は前記第２演算制御部３１に入力する様になっている。
【００４７】
前記第２通信部３５は、前記本体制御装置１６から送信されるデータを受信し、前記第２演算制御部３１に入力し、又該第２演算制御部３１で演算された前記遠隔操作装置１７の姿勢の情報、或は前記第２撮像部３６で取得した画像データ等を前記本体制御装置１６に送信する。
【００４８】
前記表示部２８には、前記第２撮像部３６で取得した第２画像が表示され、又前記第１撮像部１１で取得した第１画像が表示される。又、前記第２画像の表示、及び前記第１画像の表示は前記表示部２８に全面表示されてもよく、或は該表示部２８が分割され、或は該表示部２８にウインドウが設定され、前記第１画像及び前記第２画像が同時に表示されてもよい。
【００４９】
又、前記表示部２８はタッチパネルとして、該表示部２８より所望の操作を行える様にし、前記操作部２６の機能を前記表示部２８に集約させてもよい。
【００５０】
前記第２記憶部３２には、前記第２撮像部３６を制御する為の制御部プログラム、前記第２通信部３５による通信を制御する為の通信制御プログラム、前記表示部２８の表示、該表示部２８を操作部として機能させる為のプログラム、前記鉛直センサ３３、前記第２方向角センサ３４からの信号に基づき、前記遠隔操作装置１７の方向、傾斜等、該遠隔操作装置１７の姿勢に関する情報を演算する為のプログラム、前記第２撮像部３６で取得した画像と前記第１撮像部１１で取得した画像をマッチングさせる等の画像処理を実行する画像処理プログラム等の各種プログラムが格納されている。
【００５１】
又、前記第２記憶部３２には、前記第２撮像部３６で取得した画像データ、或は前記第１通信部２７から送信された前記第１撮像部１１の画像データ、前記角度測定装置１で測定した測距、測角のデータが格納される。
【００５２】
前記第２電源部３７は、リチュウムイオン電池等の充電可能な電池であり、前記第２演算制御部３１、前記第２通信部３５、前記第２撮像部３６、前記表示部２８等に必要な電力を供給する。
【００５３】
以下、作動について説明する。
【００５４】
先ず、前記遠隔操作装置１７を前記アタッチメント１８に装着し、前記角度測定装置１の操作部として使用する場合を説明する。尚、以下の説明では、前記表示部２８を前記操作部として使用する場合を説明する。
【００５５】
前記視準望遠鏡１０を通して撮像された画像が、前記表示部２８に表示される。作業者は、該表示部２８に表示された画像に基づき該表示部２８上から測定点を選択し、該測定点に前記視準望遠鏡１０が視準する様に前記表示部２８を通して、水平回転、鉛直回転の指示を与え前記視準望遠鏡１０を測定点に視準させ、測距、測角を実行する。或は、前記表示部２８から、測定条件、例えば測定間隔、測定範囲等を入力し、与えた測定条件で自動測定を実行させる。
【００５６】
測定の実行指令で、前記光波距離計１３が駆動され、測距データが取得され、又前記水平角検出器１４、前記鉛直角検出器１５の検出結果に基づき測角データが取得される。
【００５７】
又、測定個所、或は測定範囲の画像が必要な場合は、前記第１撮像部１１で取得された画像が測定結果に関連付けられて、前記第１記憶部２２に格納される。
【００５８】
次に、前記遠隔操作装置１７を前記アタッチメント１８から取外し、前記遠隔操作装置１７により遠隔操作をする場合を説明する。
【００５９】
前記視準望遠鏡１０の視準方向は、前記鉛直角検出器１５及び前記第１方向角センサ２５によって検出され、又前記第２撮像部３６の視準方向（以下第２視準方向）は前記鉛直センサ３３、前記第２方向角センサ３４によって検出される。前記鉛直センサ３３、前記第２方向角センサ３４によって検出された前記第２撮像部３６の視準方向のデータが前記第２通信部３５を介して前記第１通信部２７に送信される。
【００６０】
前記第１演算制御部２１は、該第１通信部２７によって受信された第２視準方向と前記第１方向角センサ２５、前記鉛直角検出器１５によって検出された視準方向（以下第１視準方向）とを比較し、偏差がある場合は、偏差を解消する様に、前記水平回転駆動部６、前記鉛直回転駆動部１２を駆動し、前記望遠鏡部９を水平方向、鉛直方向に所定角度回転する。
【００６１】
偏差が０となった状態では、前記表示部２８で表示される画像が前記視準望遠鏡１０で視準した方向の画像となる。又、前記表示部２８の中心を前記第２撮像部３６の視準点とすると、前記視準望遠鏡１０で視準している点は、前記表示部２８の中心となる。
【００６２】
尚、前記第１方向角センサ２５、前記鉛直角検出器１５、前記鉛直センサ３３、前記第２方向角センサ３４の検出結果には、誤差が含まれるので、前記視準望遠鏡１０の視準方向と前記第２撮像部３６の視準方向を高精度に合致させるには、前記第１撮像部１１で取得した画像と前記第２撮像部３６で取得した画像間で画像マッチングを行う。画像マッチングで得られる両画像間の偏差を用いて前記視準望遠鏡１０の視準方向を微調整すれば、前記第１視準方向と前記第２視準方向の完全な一致が得られる。
【００６３】
前記第１視準方向と前記第２視準方向の完全な一致が得られた時点で、前記角度測定装置１と前記遠隔操作装置１７との関係を０セット（基準状態として設定）する。
【００６４】
次に、作業者が測定したい点（測定点）を目視で選択し、前記表示部２８の画像を見ながら、前記第２撮像部３６を測定点に向ける。
【００６５】
前記遠隔操作装置１７の動きは、前記第２方向角センサ３４、前記鉛直センサ３３によって連続的に検出されており、検出結果はリアルタイムで前記第２通信部３５より前記第１通信部２７に送信され、前記第１演算制御部２１は前記第１通信部２７が受信した前記第２方向角センサ３４、前記鉛直センサ３３の検出結果に基づき、前記第２撮像部３６の視準方向を演算し、演算した結果に基づき前記水平回転駆動部６、前記鉛直回転駆動部１２を駆動し、前記望遠鏡部９の視準方向を前記遠隔操作装置１７の動きにリアルタイムで追従させる。
【００６６】
即ち、作業者が前記表示部２８の画像を見て、画像中で測定点を選択すると、画像に表示されたレチクルを前記測定点に合致させ測定を開始する。尚、上記した様に前記表示部２８に表示させるものは、前記第１撮像部１１で取得した第１画像、前記第２撮像部３６で取得した第２画像のいずれかを選択できるので、最初視野角の大きい前記第２画像を表示させて測定点の選択を行い、次に測定点へ視準させる際には倍率の大きい第１画像を表示させる様にしてもよい。
【００６７】
又、前記表示部２８を例えば上下に分割し、上側に視野角の大きい第２画像を表示させ、下側に視野角の小さい第１画像を表示させ、前記遠隔操作装置１７の向きを変えた場合、或は前記遠隔操作装置１７を移動した場合に、前記望遠鏡部９の動きが追従する様子を確認する様にしてもよい。或は、第１画像と第２画像とは視野角が異なる（第１画像の視野角が小さい）ので、第１画像と第２画像を上下に同時に表示し、第１画像が第２画像のどの部分に当るかを確認する様にしてもよい。
【００６８】
測定点に視準されると、前記表示部２８から測定開始の指令を入力する。測定開始の指令は前記第２通信部３５より前記第１通信部２７に送信され、該第１通信部２７は受信した指令を前記第１演算制御部２１に入力し、該第１演算制御部２１は前記光波距離計１３による測距、前記水平角検出器１４、前記鉛直角検出器１５からの信号に基づき測角を実行する。
【００６９】
所定の範囲を自動測定する場合、或はパノラマ写真を撮る場合等では、前記表示部２８から自動測定する条件を入力し、或はパノラマ写真を撮る条件を入力すると、入力された条件は前記角度測定装置１に送信され、更に、実行の指令を入力することで自動測定、或は自動撮影が実行される。
【００７０】
尚、上記した光波距離計１３は市販のものを、アタッチメントを介して取付ける様にしてもよい。更に、前記遠隔操作装置１７には携帯端末（例えば、携帯電話、スマートフォン、タブレットＰＣ）を用いてもよい。市販の光波距離計、携帯端末を用いることで簡便に、而も安価に角度測定装置を構成することができる。
【符号の説明】
【００７１】
１              角度測定装置
８              鉛直回転軸
９              望遠鏡部
１０            視準望遠鏡
１１            第１撮像部
１２            鉛直回転駆動部
１３            光波距離計
１４            水平角検出器
１５            鉛直角検出器
１６            本体制御装置
１７            遠隔操作装置
１８            アタッチメント
２１            第１演算制御部
２２            第１記憶部
２４            傾斜センサ
２５            第１方向角センサ
２６            操作部
２７            第１通信部
２８            表示部
３１            第２演算制御部
３２            第２記憶部
３３            鉛直センサ
３４            第２方向角センサ
３５            第２通信部
３６            第２撮像部
【図１】
0005863482.tif 000002
【図２】
0005863482.tif 000003
【図３】
0005863482.tif 000004
【図４】
0005863482.tif 000005
【図５】
0005863482.tif 000006